(57)【要約】      （修正有）【課題】ユーザが具体的な調理メニューを想定していないような曖昧な表現の相談情報を音声入力した場合であっても、ユーザの希望に沿った具体的な調理メニューを提案できる加熱調理器を提供する。【解決手段】加熱調理器（１００）は、ヒータ（３０）と、相談情報を音声入力するためのマイク（１４）と、記憶部（１１０ｃ）と、第１処理部（１１０ｄ）と、第２処理部（１１０ｅ）と、カラー液晶表示部と、加熱制御部（１１０ａ）とを備える。記憶部（１１０ｃ）は、複数の調理カテゴリーと、調理カテゴリー毎の得点を有する複数の調理メニューとを記憶している。第１処理部（１１０ｄ）は、相談情報に基づいて記憶部（１１０ｃ）の少なくとも１つの調理カテゴリーを選択する。第２処理部（１１０ｅ）は、調理メニュー毎に、選択された調理カテゴリーの得点の合計点を算出し、合計点の高い順に少なくとも１つの調理メニューを選択する。【選択図】図２
2018004198.tif 000002
【特許請求の範囲】
【請求項１】
被加熱物を加熱するための加熱部と、
相談情報を音声入力するための音声入力部と、
複数の調理カテゴリーと、前記調理カテゴリー毎の得点を有する複数の調理メニューとを記憶する記憶部と、
前記音声入力部から音声入力された前記相談情報に基づいて前記記憶部で記憶されている少なくとも１つの調理カテゴリーを選択する第１処理部と、
前記調理メニュー毎に、前記第１処理部によって選択された前記調理カテゴリーの前記得点の合計点を算出し、前記合計点の高い順に少なくとも１つの前記調理メニューを選択する第２処理部と、
前記第２処理部で選択された前記少なくとも１つの前記調理メニューを表示する表示部と、
前記表示部に表示された前記調理メニューからユーザが選択した前記調理メニューに基づいて前記加熱部を制御する加熱制御部と
を備える、加熱調理器。
【請求項２】
前記第１処理部は、
前記音声入力部から音声入力された相談情報に基づいて前記調理カテゴリーを選択できない場合、ユーザに追加の相談情報を音声入力するように要求する追加情報要求部と、
追加された相談情報に基づいて前記調理カテゴリーを選択する再処理部と
を備える、請求項１に記載の加熱調理器。
【請求項３】
前記調理カテゴリーを選択できなかった相談情報と、前記調理カテゴリーを選択できた前記追加された相談情報とを関連付けた補完情報を作成する補完情報作成部をさらに備え、
前記記憶部は、前記補完情報作成部によって作成された前記補完情報を記憶し、
前記第１処理部は、相談情報に基づいて前記調理カテゴリーを選択できない場合、前記追加情報要求部によって追加の相談情報を要求する前に前記記憶部に記憶された前記補完情報に基づいて前記調理カテゴリーを選択する、請求項２に記載の加熱調理器。
【請求項４】
前記記憶部の前記調理カテゴリーを増設するカテゴリー増設部をさらに備える、請求項１から請求項３のいずれか１項に記載の加熱調理器。
【請求項５】
外部要因の状態を検出する外部要因検出部と、
前記記憶部における前記調理メニューの前記調理カテゴリーに応じた前記得点を前記外部要因に基づいて補正する得点補正部と
をさらに備える、請求項１から請求項４のいずれか１項に記載の加熱調理器。
【請求項６】
ネットワークサーバとの通信部をさらに備え、
前記通信部を介して前記ネットワークサーバから前記調理メニューをダウンロードし、前記記憶部の前記調理メニューを更新可能である、請求項１から請求項５のいずれか１項に記載の加熱調理器。
【請求項７】
相談情報を音声入力するための音声入力部と、
複数の調理カテゴリーと、前記調理カテゴリー毎の得点を有する複数の調理メニューとを記憶する記憶部と、
前記音声入力部から音声入力された前記相談情報に基づいて前記記憶部で記憶されている少なくとも１つの調理カテゴリーを選択する第１処理部と、
前記調理メニュー毎に、前記第１処理部によって選択された前記調理カテゴリーの前記得点の合計点を算出し、前記合計点の高い順に少なくとも１つの前記調理メニューを選択する第２処理部と、
前記第２処理部で選択された前記少なくとも１つの前記調理メニューを報知する報知部と
を備える、調理メニュー提案装置。
【発明の詳細な説明】
【技術分野】
【０００１】
本発明は、加熱調理器および調理メニュー提案装置に関する。
【背景技術】
【０００２】
加熱調理器の中には、ユーザが発した音声を認識し、認識した音声に基づいて動作を実行するものがある。例えば、特許文献１（特開２００３−１０８１８３号公報）には、そのような音声認識を行う加熱調理器が開示されている。
【０００３】
特許文献１に開示されている加熱調理器は、ユーザが希望する所定の動作を音声により受け付けて実行する。即ち、ユーザが材料や調理時間といった調理に関連した特定のキーワードを音声入力することで、キー操作を行うことなく加熱条件が設定される。
【先行技術文献】
【特許文献】
【０００４】
【特許文献１】特開２００３−１０８１８３号公報
【発明の概要】
【発明が解決しようとする課題】
【０００５】
特許文献１に開示されている加熱調理器は音声入力可能であるが、音声入力で使用可能なキーワードは、材料や調理時間のような調理に関連した特定のキーワードであり、極めて限られている。そのため、ユーザは音声入力に際して使用可能なキーワードを選別する必要があり、不便である。特に、調理メニューを選択して調理を実行する場合、具体的な調理メニューを想定した特定のキーワードを使用して調理メニューを検索する必要がある。従って、ユーザが具体的な調理メニューを想定していない曖昧な表現のキーワード（相談情報）を発しても、加熱調理器は動作しない。即ち、従来の加熱調理器は、ユーザにとって、調理メニューの検索を行うためのものであって、調理メニューの相談を行うものではない。
【０００６】
本発明は、ユーザが具体的な調理メニューを想定していないような曖昧な表現の相談情報を音声入力した場合であっても、ユーザの希望に沿った具体的な調理メニューを提案できる加熱調理器を提供することを課題とする。
【課題を解決するための手段】
【０００７】
上記課題を解決するため、本発明の加熱調理器は、
被加熱物を加熱するための加熱部と、
相談情報を音声入力するための音声入力部と、
複数の調理カテゴリーと、前記調理カテゴリー毎の得点を有する複数の調理メニューとを記憶する記憶部と、
前記音声入力部から音声入力された前記相談情報に基づいて前記記憶部で記憶されている少なくとも１つの調理カテゴリーを選択する第１処理部と、
前記調理メニュー毎に、前記第１処理部によって選択された前記調理カテゴリーの前記得点の合計点を算出し、前記合計点の高い順に少なくとも１つの前記調理メニューを選択する第２処理部と、
前記第２処理部で選択された前記少なくとも１つの前記調理メニューを表示する表示部と、
前記表示部に表示された前記調理メニューからユーザが選択した前記調理メニューに基づいて前記加熱部を制御する加熱制御部と
を備える。
【発明の効果】
【０００８】
本発明によれば、ユーザが具体的な調理メニューを想定していないような曖昧な表現の相談情報を音声入力した場合であっても、ユーザの希望に沿った具体的な調理メニューを提案できる加熱調理器を提供できる。
【図面の簡単な説明】
【０００９】
【図１】本発明の実施形態に係る加熱調理器の斜視図。
【図２】本発明の第１実施形態に係る加熱調理器の制御ブロック図。
【図３】本発明の第２実施形態に係る加熱調理器の制御ブロック図。
【図４】本発明の第３実施形態に係る加熱調理器の制御ブロック図。
【図５】本発明の第４実施形態に係る加熱調理器の制御ブロック図。
【図６】本発明の第５実施形態に係る加熱調理器の制御ブロック図。
【図７】本発明の第６実施形態に係る加熱調理器の制御ブロック図。
【図８】本発明の第６実施形態に係る加熱調理器のシステム図。
【図９】本発明の第６実施形態に係る加熱調理器の変形例のシステム図。
【発明を実施するための形態】
【００１０】
以下、添付図面を参照して本発明の実施形態を説明する。
【００１１】
（第１実施形態）
【００１２】
図１は、加熱調理器１００の外観斜視図を示している。加熱調理器１００は、ユーザからの音声入力による相談情報を受け付け、お勧めの調理メニューを提案するものである。
【００１３】
加熱調理器１００は、図２に示すように、直方体形状の本体ケーシング１と、本体ケーシング１内に設けられ、前側に開口部２ａを有する加熱庫２と、加熱庫２の開口部２ａを開閉する扉３とを備えている。
【００１４】
本体ケーシング１の上側かつ後側には、排気ダクト５が設けられている。また、本体ケーシング１の前面の下部には、露受容器６が着脱可能に取り付けられている。
【００１５】
扉３は、本体ケーシング１の前面側に下側の辺を軸に回動可能に取り付けられている。扉３の前面(加熱庫２とは反対側の表面)には、耐熱性を有する透明な外ガラス７が設けられている。また、扉３は、外ガラス７の上側に位置するハンドル８と、外ガラス７の右側に設けられた操作パネル９とを有している。
【００１６】
操作パネル９は、カラー液晶表示部１０と、途中で加熱を止めるときなどに押す取り消しキー１２と、加熱を開始するときに押すあたためスタートキー１３と、音声入力キー１５とを含んでいる。カラー液晶表示部１０は、表示部の一例である。
【００１７】
図２は、加熱調理器１００の制御ブロック図を示している。
【００１８】
加熱調理器１００は、制御装置１１０を備えている。制御装置１１０は、マイク１４、操作パネル９、スピーカ２０、ヒータ３０、およびマグネトロン４０などが接続されている。また、制御装置１１０は、マイク１４、操作パネル９、湿度センサ(図示せず)、および庫内温度センサ(図示せず)などからの信号に基づいて、操作パネル９のカラー液晶表示部１０、スピーカ２０、ヒータ３０、およびマグネトロン４０などを制御する。ヒータ３０およびマグネトロン４０は、加熱庫２内に収容された被加熱物を加熱するための加熱部の一例である。また、マイク１４は音声入力部の一例である。
【００１９】
制御装置１１０は、マイクロコンピュータと入出力回路などからなり、ヒータ３０およびマグネトロン４０を制御して加熱調理を行う加熱制御部１１０ａと、カラー液晶表示部１０を制御する表示制御部１１０ｂと、記憶部１１０ｃと、第１処理部１１０ｄと、第２処理部１１０ｅとを有する。
【００２０】
記憶部１１０ｃは、複数の調理カテゴリーと、調理カテゴリー毎の得点を有する複数の調理メニューとを記憶している。調理カテゴリーは、調理と関連するキーワードから構成され、例えば、調理時間、食材（豚肉、じゃがいも等）、ジャンル（和食、洋食等）、カロリー、および美容（ビタミン、肌に良い等）などである。調理メニューは、カレーライスやハンバーグといった具体的なメニューである。
【００２１】
記憶部１１０ｃには、例えば以下の表１のように、３つの調理メニューＡ〜Ｃと、３つの調理カテゴリー（カロリー、調理時間、美容）が記憶されている。調理カテゴリー「カロリー」に対して、調理メニューＡは５００ｋｃａｌ以上であるため５点、調理メニューＢは３００ｋｃａｌ以上であるため３点、調理メニューＣは１００ｋｃａｌ以上であるため１点をそれぞれ有している。また、調理カテゴリー「調理時間」に対して、調理メニューＡは１０分以内に調理可能であるため５点、調理メニューＢは３０分以内に調理可能であるため３点、調理メニューＣは４５分以内に調理可能であるため２点をそれぞれ有している。また、調理カテゴリー「美容」に対して、調理メニューＡはビタミンを１種類含むため１点、調理メニューＢは３種類含むため３点、調理メニューＣは４種類含むため４点をそれぞれ有している。ただし、調理メニュー、調理カテゴリー、およびその得点の付け方は、以下の表１に示すものに特に限定されず、任意のものであってよい。
【００２２】
【表１】
2018004198.tif 000003
【００２３】
ユーザは、加熱調理器１００からお勧めの調理メニューの提案を受けたいとき、音声入力キー１５を押し、相談情報を発話する。即ち、音声入力キー１５を押すことで、加熱調理器１００は音声入力を受け付けることができる。加熱調理器１００が受け付ける相談情報は、材料や調理時間といった調理関連の情報に限られず、ユーザは任意の発話が可能である。例えば、「じゃがいもを使った高カロリーな料理を教えて」のように具体的に調理メニューに関連する情報であってもよいし、「疲れが取れる料理教えて。」のように暗に調理メニューを示す相談情報であってもよいし、「あー、お腹空いた。」のように一見調理メニューに関連しない相談情報であってもよい。
【００２４】
第１処理部１１０ｄは、音声入力キー１５が押された後にマイク１４から音声入力された相談情報に基づいて記憶部１１０ｃで記憶されている少なくとも１つの調理カテゴリーを選択する。詳細には、第１処理部１１０ｄは、相談情報から抽出したフレーズに対応する調理カテゴリーを選択する。例えば、「あー、お腹空いた。」という相談情報が音声入力されたとき、「お腹空いた」というフレーズが抽出され、このフレーズに関連する調理カテゴリーとして、上記表１の場合、第１処理部１１０ｄは例えば「カロリー」と「調理時間」を選択する。この際、調理カテゴリーとして「美容」は選択されないように設定されている。即ち、第１処理部１１０ｄは、「お腹空いた」という相談情報に含まれるユーザの意図を「カロリー」と「調理時間」という調理カテゴリーに変換するように設定されている。当然ながら「お腹空いた」以外の相談情報にも対応するために、このような相談情報と調理カテゴリーとの関連付けが他にも数多く設定されている。換言すると、第１処理部１１０ｄは、複数の相談情報と調理カテゴリーを関連付けるための情報が複数記録された意図変換テーブルを有している。第１処理部１１０ｄは、この意図変換テーブルに基づいて調理カテゴリーを選択する。
【００２５】
第２処理部１１０ｅは、調理メニュー毎に、第１処理部１１０ｄによって選択された調理カテゴリーの得点の合計点を算出し、合計点の高い順に少なくとも１つの調理メニューを選択する。例えば、前述の「お腹空いた」という相談情報に対して第１処理部１１０ｄで「カロリー」と「調理時間」の調理カテゴリーが選択された場合、以下の表２のように、第２処理部１１０ｅで算出される調理メニューＡ〜Ｃの合計点は、それぞれ１０点、５点、４点となる。なお、第１処理部１１０ｄで選択されていない調理カテゴリー「美容」の点数は合計点の算出に含まれていない。
【００２６】
【表２】
2018004198.tif 000004
【００２７】
第２処理部１１０ｅにおける調理メニューの選択数は予め設定されている。例えば調理メニューの選択数が１つの場合、第２処理部１１０ｅは最も合計点の高い調理メニューＡを選択する。調理メニューの選択数が２つの場合、第２処理部１１０ｅは最も合計点の高い調理メニューＡおよび次に合計点の高い調理メニューＢを選択する。なお、第２処理部１１０ｅにおける調理メニューの選択数は特に限定されない。
【００２８】
第２処理部１１０ｅで選択された少なくとも１つの調理メニューは、表示制御部１１０ｂによって制御されているカラー液晶表示部１０にお勧めの調理メニューとして表示される。このとき、上記の意図変換テーブルで関連付けられた調理カテゴリーも同時に表示される。または、スピーカ２０によって該当する調理カテゴリーを音声出力してもよい。例えば、前述の「お腹空いた」という相談情報に対し、意図変換テーブルにより「カロリー」と「調理時間」の調理カテゴリーが選択された場合、「カロリーの高いメニューで探したよ。１０分で作れる調理メニューＡはどうかな？」と音声出力されてもよい。そして、ユーザは、この時点でお勧めの調理メニューを知得でき、複数の調理メニューが表示された場合は、その中から気に入った調理メニューを選択する。
【００２９】
加熱制御部１１０ａは、ユーザによって選択された調理メニューに対応してヒータ３０またはマグネトロン４０を制御し、調理を実行する。例えば、上記表２に示す調理メニューＡおよび調理メニューＢがカラー液晶表示部１０に表示され、それらのうちの調理メニューＡをユーザが選択した場合、加熱制御部１１０ａによって調理メニューＡに対応する加熱出力や調理時間が自動的に設定され、調理メニューＡの調理が実行される。
【００３０】
以上のように、加熱調理器１００は、第１処理部１１０ｄによりユーザの発話する相談情報を所定の調理カテゴリーに変換し、第２処理部１１０ｅによって調理カテゴリーに応じた調理メニューを選択している。従って、ユーザが具体的な調理メニューを想定していないような曖昧な表現の相談情報を音声入力した場合であっても、ユーザの希望に沿った具体的な調理メニューを提案でき、提案した調理メニューの調理を実行できる。そのため、ユーザが音声入力する相談情報は調理に関連する言葉に限定されず、広い範囲での自由な音声入力が可能であるため、利便性を向上できる。
【００３１】
（第２実施形態）
図３に示す本実施形態の加熱調理器１００では、制御装置１１０の第１処理部１１０ｄ内に追加情報要求部１１０１ｄと、再処理部１１０２ｄとが設けられている。これらに関する部分以外は、図１，２の第１実施形態の加熱調理器１００と同じである。従って、図１，２に示した構成と同様の部分については同様の符号を付して説明を省略する。
【００３２】
第１処理部１１０ｄの追加情報要求部１１０１ｄは、マイク１４から音声入力された相談情報に基づいて調理カテゴリーを選択できない場合、ユーザに追加の相談情報を音声入力するように要求する。即ち、第１実施形態で説明したように第１処理部１１０ｄは意図変換テーブルに基づいて調理カテゴリーを選択するが、意図変換テーブルに存在しない相談情報が音声入力された場合、調理カテゴリーを選択できない。例えば、ユーザが「ギラギラした料理を教えて。」という相談情報を音声入力した場合、第１処理部１１０ｄの意図変換テーブルに「ギラギラした料理」という記録がない場合、調理カテゴリーを選択できない。その場合、追加情報要求部１１０１ｄはユーザに追加の相談情報を要求する。要求方法は、特に限定されないが、例えばカラー液晶表示部１０またはスピーカ２０によって、音声的にまたは視覚的にユーザに相談情報を発話するように促してもよい。その際、加熱調理器１００は、ユーザに対して、例えば「ギラギラした料理ってどんな料理？」と示し、追加の相談情報を要求してもよい。また、加熱調理器１００は、ユーザに対して、例えば「ギラギラした料理のカロリー、調理時間、および食材を教えて。」と示し、追加の相談情報として具体的な調理カテゴリーを要求してもよい。
【００３３】
再処理部１１０２ｄは、ユーザが追加した相談情報に基づいて調理カテゴリーを選択する。例えば、前述の「ギラギラした料理」という曖昧な相談情報に対して、追加情報要求部１１０１ｄによって追加の相談情報が要求され、これに追加して「油を使用した料理」という相談情報が音声入力された場合、再処理部１１０２ｄはそれを意図変換テーブルによって調理カテゴリーに変換し、変換された調理カテゴリーを選択する。そして、第２処理部１１０ｅは、選択された調理カテゴリーに基づいて調理メニューを選択する。
【００３４】
本実施形態によれば、相談情報が著しく曖昧で、お勧めの調理メニューを提案できない場合でも、追加情報要求部１１０１ｄによって得られた追加の相談情報を使用して再処理部１１０２ｄで調理カテゴリーの選択を再試行することで調理メニューを提案できる。即ち、調理メニューが提案できない事態を防止できる。
【００３５】
（第３実施形態）
図４に示す本実施形態の加熱調理器１００では、制御装置１１０内に補完情報作成部１１０ｆが設けられている。これに関する部分以外は、図３の第２実施形態の加熱調理器１００の構成と同じである。従って、図３に示した構成と同様の部分については同様の符号を付して説明を省略する。
【００３６】
補完情報作成部１１０ｆは、第２実施形態で説明したように、相談情報が著しく曖昧であるために調理カテゴリーを選択できなかった相談情報と、調理カテゴリーを選択できた追加された相談情報とが音声入力されたとき、これらを関連付けた補完情報を作成する。この補完情報は、記憶部１１０ｃに記憶されている。例えば、第２実施形態のように、「ギラギラした料理」という曖昧な相談情報に追加して「油を使用した料理」という相談情報が音声入力された場合、補完情報作成部１１０ｆはこれらを関連付ける情報として補完情報を作成する。
【００３７】
本実施形態の第１処理部１１０ｄは、相談情報に基づいて調理カテゴリーを選択できない場合、追加情報要求部１１０１ｄによって追加の相談情報を要求する前に記憶部１１０ｃに記憶された補完情報に基づいて調理カテゴリーを選択する。例えば、「ギラギラした料理」という相談情報と「油を使用した料理」という相談情報とが補完情報により関連付けられている場合、次に「ギラギラした料理」という相談情報が音声入力されると、「油を使用した料理」という相談情報が自動的に追加されて処理される。
【００３８】
本実施形態によれば、補完情報作成部１１０ｆによって作成した補完情報を第１処理部１１０ｄで利用できる。そのため、前述のように調理カテゴリーを選択できない曖昧な相談情報が音声入力された場合でも、それが補完情報を利用できる相談情報であれば、補完情報を利用することでユーザに追加の相談情報を要求することなく調理カテゴリーを選択できる。
【００３９】
（第４実施形態）
図５に示す本実施形態の加熱調理器１００では、制御装置１１０内にカテゴリー増設部１１０ｇが設けられている。これに関する部分以外は、図１，２の第１実施形態の加熱調理器１００の構成と同じである。従って、図１，２に示した構成と同様の部分については同様の符号を付して説明を省略する。
【００４０】
カテゴリー増設部１１０ｇは、記憶部１１０ｃの調理カテゴリーを増設する。例えば、調理カテゴリーの増設は、第３実施形態の補完情報を利用する等して自動的に行われてもよく、ユーザまたはメーカによって手動的に行われてもよい。
【００４１】
本実施形態によれば、カテゴリー増設部１１０ｇによって記憶部１１０ｃの調理カテゴリーが増設可能であることで、調理カテゴリーを増設して第１処理部１１０ｄでの調理カテゴリーの選択の精度を向上できる。
【００４２】
（第５実施形態）
図６に示す本実施形態の加熱調理器１００では、制御装置内１１０に得点補正部１１０ｈが設けられ、制御装置１１０に外部温度センサ５０が接続されている。これらに関する部分以外は、図１，２の第１実施形態の加熱調理器１００の構成と同じである。従って、図１，２に示した構成と同様の部分については同様の符号を付して説明を省略する。
【００４３】
外部温度センサ５０は、加熱調理器１００の外部の温度を検出する。外部温度センサ５０は、外部要因検出部の一例であり、外部の温度は外部要因の一例である。
【００４４】
得点補正部１１０ｈは、記憶部１１０ｃにおける調理メニューの調理カテゴリーに応じた得点を外部の温度に基づいて補正する。例えば、外部温度センサ５０で検出された温度が低いとき、調理カテゴリーとして「調理メニューの温かさ」が設定されていれば、当該調理カテゴリーの得点を一律２倍にするなどの補正を行い、第２処理部１１０ｅにおいて温かい調理メニューが選択されやすくしてもよい。
【００４５】
本実施形態によれば、外部の温度に応じて、お勧めの調理メニューを変更してユーザに提案できる。また、外部要因として、気温、天気、および季節等を設定してもよく、外部要因検出部としてこれらの外部要因を検出するセンサ等を設けてもよい。これにより、気温、天気、および季節等の外部要因に応じて、ユーザにお勧めの調理メニューを変更して提案できる。
【００４６】
（第６実施形態）
図７に示す第６実施形態の加熱調理器１００では、制御装置１１０内に通信制御部１１０ｉが設けられ、制御装置１１０にＷｉＦｉ通信モジュール１２０が接続されている。これらに関する部分以外は、図１，２の第１実施形態の加熱調理器１００の構成と同じである。従って、図１，２に示した構成と同様の部分については同様の符号を付して説明を省略する。
【００４７】
図８に示すように、本実施形態では、加熱調理器１００と、加熱調理器１００とインターネット網Ｎを介して通信するネットワークサーバ２００とを備えるシステムが構築されている。
【００４８】
ネットワークサーバ２００は、クラウドコンピューティングシステムを構成している。
【００４９】
加熱調理器１００は、無線アクセスポイント８０およびインターネット網Ｎを介してネットワークサーバ２００などと通信を行うために、ＷｉＦｉ通信モジュール１２０を備え、これを制御装置１１０の通信制御部１１０ｉによって制御している。ＷｉＦｉ通信モジュール１２０は、通信部の一例である。なお、ＷｉＦｉ通信モジュール１２０が直接インターネット網Ｎに接続されるようにしてもよい。
【００５０】
ＷｉＦｉ通信モジュール１２０は、屋内の無線アクセスポイント８０との間で無線ＬＡＮ(ローカル・エリア・ネットワーク)による通信を行う。より詳しくは、ＷｉＦｉ通信モジュール１２０は、通信規格の一例としての無線ＬＡＮの規格であるＷｉＦｉ(登録商標)を用い、無線アクセスポイント８０を介して屋外のネットワークサーバ２００に情報を送信したり受信したりする。なお、ＷｉＦｉの代わりにBluetooth(登録商標)などの他の通信規格を用いてもよい。
【００５１】
本実施形態では、このようなシステムにより、ネットワークサーバ２００からＷｉＦｉ通信モジュール１２０を介して記憶部１１０ｃの調理メニューを更新可能である。また、ネットワークサーバ２００からＷｉＦｉ通信モジュール１２０を介して第１処理部１１０ｄの意図変換テーブルも更新可能である。
【００５２】
本実施形態によれば、初期設定されている調理メニュー以外にユーザが好みの調理メニューを追加できるため、ユーザの好みに応じた調理メニューを提案できる。
【００５３】
図９に示すように、本実施形態の変形例として制御装置１１０（図７等参照）内の一部構成は、ネットワークサーバ２００内に構成されていてもよい。例えば、第１から第５実施形態で説明した制御装置１１０内の第１処理部１１０ｄ、第２処理部１１０ｅ、補完情報作成部１１０ｆ、カテゴリー増設部１１０ｇ、および得点補正部１１０ｈは、ネットワークサーバ２００内に構成されていてもよい。
【００５４】
本変形例によれば、ネットワークサーバ２００内で前述の第１〜第５実施形態で説明した各処理を実行できる。従って、加熱調理器１００内の制御装置１１０での処理を軽減し、その構成を簡易化できる。
【００５５】
さらに言えば、記憶部１１０ｃを含めて調理メニューの提案するために必要な制御部が全てネットワークサーバ２００内に構成されてもよい。これにより、調理メニューの提案に関する全ての処理をネットワークサーバ２００上で実行でき、このとき、加熱調理器１００はネットワークサーバ２００上で提案された調理メニューをダウンロードして表示する機能のみを有していればよい。
【００５６】
また、メタ情報に基づいて調理メニューが提案されてもよい。メタ情報とは、外部情報、内部情報、ユーザの発話に紐付けられた情報である。外部情報とは、天候（天気、気温）に関する情報、および季節（クリスマス等のイベント、旬の食材）に関する情報などである。内部情報とは、クラウド情報に基づき、全ユーザの中で人気が高い（例えば調理している人が多い）調理メニュー、評価が高い（例えば加熱調理器１００で調理したメニューを星３つで評価できる）調理メニュー、および個人の調理履歴情報などである。ユーザの発話に紐付けられた情報とは、特定の発話（「パーティー（料理）」）などである。例えば、相談情報として「パーティー料理教えて」と発話されると、調理メニューの中で、「パーティー」に紐付けられた調理メニューが提案されてもよい。
【００５７】
本発明の加熱調理器１００は、マグネトロン４０およびヒータ３０を備えたオーブンレンジに限定されず、例えば、マイクロ波加熱方式の電子レンジや炊飯器などの他の加熱調理器でもよい。さらに言えば、本発明の範囲には、加熱調理器１００が備える調理メニューの提案機能を有する調理メニュー提案装置が含まれる。従って、この調理メニュー提案装置を有する調理器であれば、上述の加熱調理器１００の態様に限らず、調理メニューを提案できる。
【００５８】
以上より、本発明の具体的な実施形態やその変形例について説明したが、本発明は上記形態に限定されるものではなく、この発明の範囲内で種々変更して実施することができる。例えば、個々の実施形態の内容を適宜組み合わせたものを、この発明の一実施形態としてもよい。
【００５９】
本発明および実施形態をまとめると、次のようになる。
【００６０】
本発明の加熱調理器１００は、
被加熱物を加熱するための加熱部３０と、
相談情報を音声入力するための音声入力部１４と、
複数の調理カテゴリーと、前記調理カテゴリー毎の得点を有する複数の調理メニューとを記憶する記憶部１１０ｃと、
前記音声入力部１４から音声入力された前記相談情報に基づいて前記記憶部１１０ｃで記憶されている少なくとも１つの調理カテゴリーを選択する第１処理部１１０ｄと、
前記調理メニュー毎に、前記第１処理部１１０ｄによって選択された前記調理カテゴリーの前記得点の合計点を算出し、前記合計点の高い順に少なくとも１つの前記調理メニューを選択する第２処理部１１０ｅと、
前記第２処理部１１０ｅで選択された前記少なくとも１つの前記調理メニューを表示する表示部１０と、
前記表示部１０に表示された前記調理メニューからユーザが選択した前記調理メニューに基づいて前記加熱部３０を制御する加熱制御部１１０ａと
を備える。
【００６１】
上記構成によれば、第１処理部１１０ｄによりユーザの発話する相談情報を所定の調理カテゴリーに変換し、第２処理部１１０ｅによって調理カテゴリーに応じた調理メニューを選択している。従って、ユーザが具体的な調理メニューを想定していないような曖昧な表現の相談情報を音声入力した場合であっても、ユーザの希望に沿った具体的な調理メニューを提案でき、提案した調理メニューの調理を実行できる。そのため、ユーザが音声入力する相談情報は調理に関連する言葉に限定されず、広い範囲での自由な音声入力が可能であるため、利便性を向上できる。
【００６２】
また、一実施形態の加熱調理器１００では、
前記第１処理部１１０ｄは、
前記音声入力部１４から音声入力された相談情報に基づいて前記調理カテゴリーを選択できない場合、ユーザに追加の相談情報を音声入力するように要求する追加情報要求部１１０１ｄと、
追加された相談情報に基づいて前記調理カテゴリーを選択する再処理部１１０２ｄと
をさらに備えてもよい。
【００６３】
上記構成によれば、相談情報が著しく曖昧で、お勧めの調理メニューを提案できない場合でも、追加情報要求部１１０１ｄによって得られた追加の相談情報を使用して再処理部１１０２ｄで調理カテゴリーの選択を再試行することで調理メニューを提案できる。即ち、調理メニューが提案できない事態を防止できる。
【００６４】
また、一実施形態の加熱調理器１００では、
前記調理カテゴリーを選択できなかった相談情報と、前記調理カテゴリーを選択できた前記追加された相談情報とを関連付けた補完情報を作成する補完情報作成部１１０ｆをさらに備え、
前記記憶部１１０ｃは、前記補完情報作成部１１０ｆによって作成された前記補完情報を記憶し、
前記第１処理部１１０ｄは、相談情報に基づいて前記調理カテゴリーを選択できない場合、前記追加情報要求部１１０１ｄによって追加の相談情報を要求する前に前記記憶部１１０ｃに記憶された前記補完情報に基づいて前記調理カテゴリーを選択してもよい。
【００６５】
上記構成によれば、補完情報作成部１１０ｆによって作成した補完情報を第１処理部１１０ｄで利用できる。そのため、前述のように調理カテゴリーを選択できない曖昧な相談情報が音声入力された場合でも、それが補完情報を利用できる相談情報であれば、補完情報を利用することでユーザに追加の相談情報を要求することなく調理カテゴリーを選択できる。
【００６６】
また、一実施形態の加熱調理器１００では、
前記記憶部１１０ｃの前記調理カテゴリーを増設するカテゴリー増設部１１０ｇをさらに備えてもよい。
【００６７】
上記構成によれば、カテゴリー増設部１１０ｇによって記憶部１１０ｃの調理カテゴリーが増設可能であることで、調理カテゴリーを増設して第１処理部１１０ｄでの調理カテゴリーの選択の精度を向上できる。調理カテゴリーの増設は、前述の補完情報を利用する等して自動的に行われてもよく、ユーザまたはメーカによって手動的に行われてもよい。
【００６８】
また、一実施形態の加熱調理器１００では、
外部要因の状態を検出する外部要因検出部５０と、
前記記憶部における前記調理メニューの前記調理カテゴリーに応じた前記得点を前記外部要因に基づいて補正する得点補正部１１０ｈと
をさらに備えてもよい。
【００６９】
上記構成によれば、外部要因検出部５０によって、気温、天気、および季節等の外部要因の状態を検出し、得点補正部１１０ｈがこれらの外部要因に応じて記憶部１１０ｃの調理メニューの得点を補正する。従って、気温、天気、および季節等の外部要因に応じて、ユーザにお勧めの調理メニューを変更して提案できる。
【００７０】
また、一実施形態の加熱調理器１００では、
ネットワークサーバ２００との通信部１２０をさらに備え、
前記通信部１２０を介して前記ネットワークサーバ２００から前記調理メニューをダウンロードし、前記記憶部１１０ｃの前記調理メニューを更新可能であってもよい。
【００７１】
上記構成によれば、通信部１２０によってネットワークサーバ２００と通信して記憶部１１０ｃの調理メニューを更新できることで、初期設定されている調理メニュー以外にユーザが好みの調理メニューを追加できるため、ユーザの好みに応じた調理メニューを提案できる。
【００７２】
また、本発明の別の態様の調理メニュー提案装置は、
相談情報を音声入力するための音声入力部と、
複数の調理カテゴリーと、前記調理カテゴリー毎の得点を有する複数の調理メニューとを記憶する記憶部と、
前記音声入力部から音声入力された前記相談情報に基づいて前記記憶部で記憶されている少なくとも１つの調理カテゴリーを選択する第１処理部と、
前記調理メニュー毎に、前記第１処理部によって選択された前記調理カテゴリーの前記得点の合計点を算出し、前記合計点の高い順に少なくとも１つの前記調理メニューを選択する第２処理部と、
前記第２処理部で選択された前記少なくとも１つの前記調理メニューを報知する報知部と
を備える。
【００７３】
上記構成によれば、本発明の範囲には、加熱調理器１００が備える調理メニューの提案機能を有する調理メニュー提案装置が含まれる。従って、この調理メニュー提案装置を有する調理器であれば、上述の加熱調理器１００の態様に限らず、調理メニューを提案できる。
【符号の説明】
【００７４】
１…本体ケーシング
２…加熱庫
３…扉
５…排気ダクト
６…露受容器
７…外ガラス
８…ハンドル
９…操作パネル
１０…カラー液晶表示部
１２…取り消しキー
１３…スタートキー
１４…マイク
２０…スピーカ
３０…ヒータ
４０…マグネトロン
５０…外部温度センサ
８０…無線アクセスポイント
１００…加熱調理器
１１０…制御装置
１１０ａ…加熱制御部
１１０ｂ…表示制御部
１１０ｃ…記憶部
１１０ｄ…第１処理部
１１０１ｄ…追加情報要求部
１１０２ｄ…再処理部
１１０ｅ…第２処理部
１１０ｆ…補完情報作成部
１１０ｇ…カテゴリー増設部
１１０ｈ…得点補正部
１１０ｉ…通信制御部
１２０…ＷｉＦｉ通信モジュール
２００…ネットワークサーバ
Ｎ…インターネット網
【図１】
2018004198.tif 000005
【図２】
2018004198.tif 000006
【図３】
2018004198.tif 000007
【図４】
2018004198.tif 000008
【図５】
2018004198.tif 000009
【図６】
2018004198.tif 000010
【図７】
2018004198.tif 000011
【図８】
2018004198.tif 000012
【図９】
2018004198.tif 000013